(57)【要約】      （修正有）【課題】紐取付穴に対する紐の取付け作業を、従来と比較して一段と容易に行うようにすることができる紐留め具を提供する。【解決手段】棒状の留め具本体２０と、留め具本体２０の中央付近に穿設された左側及び右側貫通孔３０Ａ及び３０Ｂと、左側貫通孔３０Ａの左側に設けられた左側スリット４０Ａと、右側貫通孔３０Ｂの右側に設けられた右側スリット４０Ｂと、左側貫通孔３０Ａの右側内側面に形成された左側突起７０Ａと、右側貫通孔３０Ｂの左側内側面に形成された右側突起７０Ｂとを備える。【選択図】図１
2018102732.tif 000002
【特許請求の範囲】
【請求項１】
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の中央付近に、それぞれ対向するようにして穿設された左側及び右側貫通孔と、
前記左側貫通孔の左側に、前記左側貫通孔の左側内側面の一部を開口するようにして設けられ、前記左側貫通孔と接続される接続端の幅が、その左側開口端の幅より狭くなるように形成された左側スリットと、
前記右側貫通孔の右側に、前記右側貫通孔の右側内側面の一部を開口するようにして設けられ、前記右側貫通孔と接続される接続端の幅が、その右側開口端の幅より狭くなるように形成された右側スリットと、
前記左側貫通孔の右側内側面に、左方向に突出するようにして形成された左側突起と、
前記右側貫通孔の左側内側面に、右方向に突出するようにして形成された右側突起と
を備えることを特徴とする紐留め具。
【請求項２】
前記左側スリットは、
前記左側貫通孔に接続するようにして、前記左側貫通孔側に設けられ、前記左側貫通孔の内径より幅が狭い左側幅狭部と、
前記左側幅狭部に接続するようにして、前記留め具本体の左側端部側に設けられ、前記左側幅狭部より幅が広い左側幅広部と
を有し、前記左側幅狭部と前記左側幅広部との間は、幅が徐々に変化するようにして接続され、
前記右側スリットは、
前記右側貫通孔に接続するようにして、前記右側貫通孔側に設けられ、前記右側貫通孔の内径より幅が狭い右側幅狭部と、
前記右側幅狭部に接続するようにして、前記留め具本体の右側端部側に設けられ、前記右側幅狭部より幅が広い右側幅広部と
を有し、前記右側幅狭部と前記右側幅広部との間は、幅が徐々に変化するようにして接続された
ことを特徴する請求項１に記載の紐留め具。
【請求項３】
前記左側スリットは、
前記左側貫通孔と接続される接続端付近と、その左側開口端との間にわたって、同一の幅を有するように形成され、かつ前記左側貫通孔の近傍付近で、幅が急峻に狭くなるように形成され、
前記右側スリットは、
前記右側貫通孔と接続される接続端付近と、その右側開口端との間にわたって、同一の幅を有するように形成され、かつ前記右側貫通孔の近傍付近で、幅が急峻に狭くなるように形成された
ことを特徴する請求項１に記載の紐留め具。 
【請求項４】
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと
を備えることを特徴とする紐留め具。
【請求項５】
前記左側スリットのうち、対向する２つの内側面に、それぞれ対向するようにして、一定間隔毎に順次設けられた左側突起と、
前記右側スリットのうち、対向する２つの内側面に、それぞれ対向するようにして、一定間隔毎に順次設けられた右側突起と
をさらに備え、
前記左側突起は、
前記左側スリットの開口端から、前記留め具本体の中央付近に向かうに応じて、その大きさが徐々に小さくなるように形成され、
前記右側突起は、
前記右側スリットの開口端から、前記留め具本体の中央付近に向かうに応じて、その大きさが徐々に小さくなるように形成された
ことを特徴する請求項４に記載の紐留め具。
【請求項６】
前記左側スリットのうち、対向する２つの内側面に、それぞれ対向するようにして、一定間隔毎に順次設けられた左側段差と、
前記右側スリットのうち、対向する２つの内側面に、それぞれ対向するようにして、一定間隔毎に順次設けられた右側段差と
をさらに備え、
前記左側及び右側スリットは、その２つの内側面がそれぞれ階段状に形成された
ことを特徴する請求項４に記載の紐留め具。
【発明の詳細な説明】
【技術分野】
【０００１】
本発明は、紐留め具に関する。
【背景技術】
【０００２】
従来、紐の先端部分に装着される紐留め具として、種々のものが開発及び提案されている（例えば、特許文献１参照）。
【先行技術文献】
【特許文献】
【０００３】
【特許文献１】特開２０１５−２０５１０６号公報
【発明の概要】
【発明が解決しようとする課題】
【０００４】
本発明は、紐取付穴に対する紐の取付け作業を、従来と比較して一段と容易に行うようにすることができる紐留め具を提供することを目的とする。
【課題を解決するための手段】
【０００５】
本発明の紐留め具は、
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の中央付近に、それぞれ対向するようにして穿設された左側及び右側貫通孔と、
前記左側貫通孔の左側に、前記左側貫通孔の左側内側面の一部を開口するようにして設けられ、前記左側貫通孔と接続される接続端の幅が、その左側開口端の幅より狭くなるように形成された左側スリットと、
前記右側貫通孔の右側に、前記右側貫通孔の右側内側面の一部を開口するようにして設けられ、前記右側貫通孔と接続される接続端の幅が、その右側開口端の幅より狭くなるように形成された右側スリットと、
前記左側貫通孔の右側内側面に、左方向に突出するようにして形成された左側突起と、
前記右側貫通孔の左側内側面に、右方向に突出するようにして形成された右側突起と
を備える。
【０００６】
また、本発明の紐留め具は、
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと
を備える。
【発明の効果】
【０００７】
本発明の紐留め具によれば、紐取付穴に対する紐の取付け作業を、従来と比較して一段と容易に行うようにすることができる。
【図面の簡単な説明】
【０００８】
【図１】本発明の実施の形態による紐留め具の構成を示す斜視図、平面図、縦断面図及び側面図である。
【図２】同紐留め具が装着された紐を紐取付穴に取り付ける場合の様子を示す斜視図である。
【図３】他の実施の形態による紐留め具の構成を示す平面図である。
【発明を実施するための形態】
【０００９】
以下、本発明の実施の形態について図面を参照して説明する。
【００１０】
図１は、本発明の実施の形態による紐留め具１０の構成を示す。このうち、図１（ａ）は、紐留め具１０の斜視図を示し、図１（ｂ）は、紐留め具１０を上方から視認した場合の平面図を示し、図１（ｃ）は、図１（ａ）中のＡ−Ａ’線に沿って切断した場合における縦断面図を示し、図１（ｄ）は、紐留め具１０に紐８０を装着した場合の様子を示す側面図である。
【００１１】
紐留め具１０は、棒状の留め具本体２０を有する。この留め具本体２０の中央付近には、左側貫通孔３０Ａ及び右側貫通孔３０Ｂが対向するようにしてそれぞれ穿設されている。
【００１２】
左側貫通孔３０Ａの左側には、左側貫通孔３０Ａの左側側面の一部を開口するようにして、左側スリット４０Ａが設けられている。同様にして、右側貫通孔３０Ｂの右側には、右側貫通孔３０Ｂの右側側面の一部を開口するようにして、右側スリット４０Ｂが設けられている。
【００１３】
左側スリット４０Ａは、左側貫通孔３０Ａの内径より幅が狭い左側幅狭部５０Ａと、左側幅狭部５０Ａより幅が広い左側幅広部６０Ａとを有する。このうち、左側幅狭部５０Ａは、左側貫通孔３０Ａに接続するようにして、左側貫通孔３０Ａ側に設けられ、左側幅広部６０Ａは、左側幅狭部５０Ａに接続するようにして、留め具本体２０の左側端部側に設けられている。なお、左側幅狭部５０Ａと左側幅広部６０Ａとの間は、徐々に幅が変化するようにして接続されている。
【００１４】
同様にして、右側スリット４０Ｂは、右側貫通孔３０Ｂの内径より幅が狭い右側幅狭部５０Ｂと、右側幅狭部５０Ｂより幅が広い右側幅広部６０Ｂとを有する。このうち、右側幅狭部５０Ｂは、右側貫通孔３０Ｂに接続するようにして、右側貫通孔３０Ｂ側に設けられ、右側幅広部６０Ｂは、右側幅狭部５０Ｂに接続するようにして、留め具本体２０の右側端部側に設けられている。なお、右側幅狭部５０Ｂと右側幅広部６０Ｂとの間は、徐々に幅が変化するようにして接続されている。
【００１５】
左側貫通孔３０Ａの右側内側面には、左方向に突出するようにして、左側突起７０Ａが形成されている。同様にして、右側貫通孔３０Ｂの左側内側面には、右方向に突出するようにして、右側突起７０Ｂが形成されている。
【００１６】
この紐留め具１０に紐８０を装着する際には、例えば図１（ｄ）に示すように、まず、右側スリット４０Ｂの開口端から、紐８０の先端部分を右側貫通孔３０Ｂ内部に引き込むと、紐８０の網目に右側突起７０Ｂが入り込むことにより、紐８０は右側貫通孔３０Ｂ内に固定される。
【００１７】
このようにして、紐８０は、右側スリット４０Ｂの右側幅狭部５０Ｂを通過する際には、一旦細くなるが、右側貫通孔３０Ｂ内部に引き込まれると、右側貫通孔３０Ｂの太さにまで復帰し、右側貫通孔３０Ｂの内径より幅が狭い右側幅狭部５０Ｂの左側エッジ部分に引っ掛かることにより、紐８０が右側スリット４０Ｂから抜けることが防止される。
【００１８】
その後、紐８０を折り返すようにして、左側スリット４０Ａの開口端から、紐８０の先端部分を左側貫通孔３０Ａ内部に引き込むと、紐８０の網目に左側突起７０Ａが入り込むことにより、紐８０は左側貫通孔３０Ａ内に固定され、紐８０が紐留め具１０に装着される。
【００１９】
同様にして、紐８０は、左側スリット４０Ａの左側幅狭部５０Ａを通過する際には、一旦細くなるが、左側貫通孔３０Ａ内部に引き込まれると、左側貫通孔３０Ａの太さにまで復帰し、左側貫通孔３０Ａの内径より幅が狭い左側幅狭部５０Ａの右側エッジ部分に引っ掛かることにより、紐８０が左側スリット４０Ａから抜けることが防止される。
【００２０】
ここで、図２に、紐留め具１０が装着された紐８０を、紐取付穴１００に取り付ける場合の様子を示す。図２（ａ）に示すように、例えば展示用パネルやハンガーボードなどの取付対象物９０に穿設された紐取付穴１００に、吊下げ用の紐８０を取り付ける場合、紐留め具１０の長手方向は、紐取付穴１００の内径より長くなるように形成されると共に、紐留め具１０の短手方向は、紐取付穴１００の内径より短くなるように形成されている。
【００２１】
図１（ｂ）に示すように、紐留め具１０の一端から、紐留め具１０が装着された紐８０を、紐取付穴１００に挿通し、紐留め具１０の全体を挿通し終えた後、紐８０を引くと、紐留め具１０がストッパとして機能することにより、紐８０が紐取付穴１００に係留及び取付けられ、紐８０を紐取付穴１００に結ぶ場合と同様の効果を得ることができる。
【００２２】
このように本実施の形態によれば、紐取付穴１００に対する紐８０の取付け作業を、従来と比較して一段と容易に行うようにすることができる。
【００２３】
なお、上述の実施の形態においては、左側及び右側貫通孔３０Ａ及び３０Ｂの一部を開口する左側及び右側スリットとして、それぞれ幅が異なる左側及び右側幅狭部５０Ａ及び５０Ｂ並びに左側及び右側幅広部６０Ａ及び６０Ｂを有する左側及び右側スリット４０Ａ及び４０Ｂを適用した場合について述べたが、本発明はこれに限らず、例えば図１との対応部分に同一符号を付した図３（ａ）に示す紐留め具１１０のように、同一の幅を有するように形成されると共に、左側及び右側貫通孔３０Ａ及び３０Ｂの近傍付近で、幅が急峻に狭くなるように形成された左側及び右側スリット１２０Ａ及び１２０Ｂを適用するようにしても良い。
【００２４】
また、上述の実施の形態においては、左側及び右側貫通孔３０Ａ及び３０Ｂと、これら左側及び右側貫通孔３０Ａ及び３０Ｂに紐８０を導くための左側及び右側スリット４０Ａ及び４０Ｂとを設けた場合について述べたが、本発明はこれに限らず、例えば図１との対応部分に同一符号を付した図３（ｃ）に示す紐留め具１５０のように、左側スリット１６０Ａ及び右側スリット１６０Ｂのみを対向するようにして設けても良い。
【００２５】
この場合、左側及び右側スリット１６０Ａ及び１６０Ｂは、これら左側及び右側スリット１６０Ａ及び１６０Ｂの開口端から、留め具本体２０の中央付近に向かうに応じて、幅が徐々に狭くなるようにそれぞれ形成されている。
【００２６】
また、この場合、例えば図１との対応部分に同一符号を付した図３（ｄ）に示す紐留め具１７０のように、左側スリット１６０Ａのうち、対向する２つの内側面に、左側突起１８０Ａ及び１９０Ａを対向するようにして、一定間隔毎にそれぞれ順次設けると共に、右側スリット１６０Ｂのうち、対向する２つの内側面に、右側突起１８０Ｂ及び１９０Ｂを対向するようにして、一定間隔毎にそれぞれ順次設けるようにしても良い。
【００２７】
その際、左側スリット１６０Ａの開口端から、留め具本体２０の中央付近に向かうに応じて、左側突起１８０Ａ及び１９０Ａの大きさが徐々に小さくなるように形成されると共に、右側スリット１６０Ｂの開口端から、留め具本体２０の中央付近に向かうに応じて、右側突起１８０Ｂ及び１９０Ｂの大きさが徐々に小さくなるように形成されている。
【００２８】
さらに、この場合、例えば図１との対応部分に同一符号を付した図３（ｅ）に示す紐留め具２００のように、左側スリット２１０Ａのうち、対向する２つの内側面に、左側段差２２０Ａ及び２３０Ａを対向するようにして、一定間隔毎にそれぞれ順次設けることにより、左側スリット２１０Ａの２つの内側面をそれぞれ階段状に形成すると共に、右側スリット２１０Ｂのうち、対向する２つの内側面に、右側段差２２０Ｂ及び２３０Ｂを対向するようにして、一定間隔毎にそれぞれ順次設けることにより、右側スリット２１０Ｂの２つの内側面をそれぞれ階段状に形成するようにしても良い。
【００２９】
このように、本実施の形態の場合、紐留め具１０は、紐８０の取付対象物９０に穿設された紐取付穴１００の内径より長くなるように、その長手方向の長さが形成されると共に、紐取付穴１００の内径より短くなるように、その短手方向の長さが形成された棒状の留め具本体２０と、留め具本体２０の中央付近に、それぞれ対向するようにして穿設された左側及び右側貫通孔３０Ａ及び３０Ｂと、左側貫通孔３０Ａの左側に、左側貫通孔３０Ａの左側内側面の一部を開口するようにして設けられ、左側貫通孔３０Ａと接続される接続端の幅が、その左側開口端の幅より狭くなるように形成された左側スリット４０Ａと、右側貫通孔３０Ｂの右側に、右側貫通孔３０Ｂの右側内側面の一部を開口するようにして設けられ、右側貫通孔３０Ｂと接続される接続端の幅が、その右側開口端の幅より狭くなるように形成された右側スリット４０Ｂと、左側貫通孔３０Ａの右側内側面に、左方向に突出するようにして形成された左側突起７０Ａと、右側貫通孔３０Ｂの左側内側面に、右方向に突出するようにして形成された右側突起７０Ｂとを備える。
【００３０】
また、本実施の形態の場合、左側スリット４０Ａは、左側貫通孔３０Ａに接続するようにして、左側貫通孔３０Ａ側に設けられ、左側貫通孔３０Ａの内径より幅が狭い左側幅狭部５０Ａと、左側幅狭部５０Ａに接続するようにして、留め具本体２０の左側端部側に設けられ、左側幅狭部５０Ａより幅が広い左側幅広部６０Ａとを有し、左側幅狭部５０Ａと左側幅広部６０Ａとの間は、幅が徐々に変化するようにして接続され、右側スリット４０Ｂは、右側貫通孔３０Ｂに接続するようにして、右側貫通孔３０Ｂ側に設けられ、右側貫通孔３０Ｂの内径より幅が狭い右側幅狭部５０Ｂと、右側幅狭部５０Ｂに接続するようにして、留め具本体２０の右側端部側に設けられ、右側幅狭部５０Ｂより幅が広い右側幅広部６０Ｂとを有し、右側幅狭部５０Ｂと右側幅広部６０Ｂとの間は、幅が徐々に変化するようにして接続されている。
【００３１】
また、他の実施の形態の場合、左側スリット１２０Ａは、左側貫通孔３０Ａと接続される接続端付近と、その左側開口端との間にわたって、同一の幅を有するように形成され、かつ左側貫通孔３０Ａの近傍付近で、幅が急峻に狭くなるように形成され、右側スリット１２０Ｂは、右側貫通孔３０Ｂと接続される接続端付近と、その右側開口端との間にわたって、同一の幅を有するように形成され、かつ右側貫通孔３０Ｂの近傍付近で、幅が急峻に狭くなるように形成されている。
【００３２】
また、他の実施の形態の場合、紐留め具１５０は、紐８０の取付対象物９０に穿設された紐取付穴１００の内径より長くなるように、その長手方向の長さが形成されると共に、紐取付穴１００の内径より短くなるように、その短手方向の長さが形成された棒状の留め具本体２０と、留め具本体２０の両端を開口するようにして穿設され、その開口端から留め具本体２０の中央付近に向かうに応じて、その幅が徐々に狭くなるように、それぞれ対向して設けられた左側及び右側スリット１６０Ａ及び１６０Ｂとを備える。
【００３３】
また、他の実施の形態の場合、左側スリット１６０Ａのうち、対向する２つの内側面に、それぞれ対向するようにして、一定間隔毎に順次設けられた左側突起１８０Ａ及び１９０Ａと、右側スリット１６０Ｂのうち、対向する２つの内側面に、それぞれ対向するようにして、一定間隔毎に順次設けられた右側突起１８０Ｂ及び１９０Ｂとをさらに備え、左側突起１８０Ａ及び１９０Ａは、左側スリット１６０Ａの開口端から、留め具本体２０の中央付近に向かうに応じて、その大きさが徐々に小さくなるように形成され、右側突起１８０Ｂ及び１９０Ｂは、右側スリット１６０Ｂの開口端から、留め具本体２０の中央付近に向かうに応じて、その大きさが徐々に小さくなるように形成されている。
【００３４】
また、他の実施の形態の場合、左側スリット２１０Ａのうち、対向する２つの内側面に、それぞれ対向するようにして、一定間隔毎に順次設けられた左側段差２２０Ａ及び２３０Ａと、右側スリット２１０Ｂのうち、対向する２つの内側面に、それぞれ対向するようにして、一定間隔毎に順次設けられた右側段差２２０Ｂ及び２３０Ｂとをさらに備え、左側及び右側スリット２１０Ａ及び２１０Ｂは、その２つの内側面がそれぞれ階段状に形成されている。
【符号の説明】
【００３５】
１０  紐留め具
２０  留め具本体
３０Ａ  左側貫通孔
３０Ｂ  右側貫通孔
４０Ａ  左側スリット
４０Ｂ  右側スリット
７０Ａ  左側突起
７０Ｂ  右側突起
８０  紐
９０  取付対象物
１００  紐取付穴
【図１】
2018102732.tif 000003
【図２】
2018102732.tif 000004
【図３】
2018102732.tif 000005
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の中央付近に、それぞれ対向するようにして穿設された左側及び右側貫通孔と、
前記左側貫通孔の左側に、前記左側貫通孔の左側内側面の一部を開口するようにして設けられ、前記左側貫通孔と接続される接続端の幅が、その左側開口端の幅より狭くなるように形成された左側スリットと、
前記右側貫通孔の右側に、前記右側貫通孔の右側内側面の一部を開口するようにして設けられ、前記右側貫通孔と接続される接続端の幅が、その右側開口端の幅より狭くなるように形成された右側スリットと、
前記左側貫通孔の右側内側面に、左方向に突出するようにして形成された左側突起と、
前記右側貫通孔の左側内側面に、右方向に突出するようにして形成された右側突起と
を備えることを特徴とする紐留め具。
【請求項２】
前記左側スリットは、
前記左側貫通孔に接続するようにして、前記左側貫通孔側に設けられ、前記左側貫通孔の内径より幅が狭い左側幅狭部と、
前記左側幅狭部に接続するようにして、前記留め具本体の左側端部側に設けられ、前記左側幅狭部より幅が広い左側幅広部と
を有し、前記左側幅狭部と前記左側幅広部との間は、幅が徐々に変化するようにして接続され、
前記右側スリットは、
前記右側貫通孔に接続するようにして、前記右側貫通孔側に設けられ、前記右側貫通孔の内径より幅が狭い右側幅狭部と、
前記右側幅狭部に接続するようにして、前記留め具本体の右側端部側に設けられ、前記右側幅狭部より幅が広い右側幅広部と
を有し、前記右側幅狭部と前記右側幅広部との間は、幅が徐々に変化するようにして接続された
ことを特徴する請求項１に記載の紐留め具。
【請求項３】
前記左側スリットは、
前記左側貫通孔と接続される接続端付近と、その左側開口端との間にわたって、同一の幅を有するように形成され、かつ前記左側貫通孔の近傍付近で、幅が急峻に狭くなるように形成され、
前記右側スリットは、
前記右側貫通孔と接続される接続端付近と、その右側開口端との間にわたって、同一の幅を有するように形成され、かつ前記右側貫通孔の近傍付近で、幅が急峻に狭くなるように形成された
ことを特徴する請求項１に記載の紐留め具。            
【請求項４】
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと、
前記左側スリットのうち、対向する２つの内側面に、それぞれ対向するようにして、一定間隔毎に順次設けられた左側突起と、
前記右側スリットのうち、対向する２つの内側面に、それぞれ対向するようにして、一定間隔毎に順次設けられた右側突起と
を備え、
前記左側突起は、
前記左側スリットの開口端から、前記留め具本体の中央付近に向かうに応じて、その大きさが徐々に小さくなるように形成され、
前記右側突起は、
前記右側スリットの開口端から、前記留め具本体の中央付近に向かうに応じて、その大きさが徐々に小さくなるように形成された
ことを特徴する紐留め具。
【請求項５】
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと、
前記左側スリットのうち、対向する２つの内側面に、それぞれ対向するようにして、一定間隔毎に順次設けられた左側段差と、
前記右側スリットのうち、対向する２つの内側面に、それぞれ対向するようにして、一定間隔毎に順次設けられた右側段差と
を備え、
前記左側及び右側スリットは、その２つの内側面がそれぞれ階段状に形成された
ことを特徴する紐留め具。
【手続補正２】
【補正対象書類名】明細書
【補正対象項目名】０００６
【補正方法】変更
【補正の内容】
【０００６】
また、本発明の紐留め具は、
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと、
前記左側スリットのうち、対向する２つの内側面に、それぞれ対向するようにして、一定間隔毎に順次設けられた左側突起と、
前記右側スリットのうち、対向する２つの内側面に、それぞれ対向するようにして、一定間隔毎に順次設けられた右側突起と
を備え、
前記左側突起は、
前記左側スリットの開口端から、前記留め具本体の中央付近に向かうに応じて、その大きさが徐々に小さくなるように形成され、
前記右側突起は、
前記右側スリットの開口端から、前記留め具本体の中央付近に向かうに応じて、その大きさが徐々に小さくなるように形成された
ことを特徴する。
さらに、本発明の紐留め具は、
紐の取付対象物に穿設された紐取付穴の内径より長くなるように、その長手方向の長さが形成されると共に、前記紐取付穴の内径より短くなるように、その短手方向の長さが形成された棒状の留め具本体と、
前記留め具本体の両端を開口するようにして穿設され、その開口端から前記留め具本体の中央付近に向かうに応じて、その幅が徐々に狭くなるように、それぞれ対向して設けられた左側及び右側スリットと、
前記左側スリットのうち、対向する２つの内側面に、それぞれ対向するようにして、一定間隔毎に順次設けられた左側段差と、
前記右側スリットのうち、対向する２つの内側面に、それぞれ対向するようにして、一定間隔毎に順次設けられた右側段差と
を備え、
前記左側及び右側スリットは、その２つの内側面がそれぞれ階段状に形成された
ことを特徴する。